(57)【要約】    【課題】本発明の課題は、ポイントカードへのポイント数の加算に関する不正を防止することのできる自動販売機を提供することである。      【解決手段】商品を購入する度に記憶媒体にポイントを加算できるようにした自動販売機において、前記記憶媒体にポイント加算日時から所定時間内は同一記憶媒体の使用を禁止する手段を備える。【選択図】      図１
2006184988.tif 000002
【特許請求の範囲】
【請求項１】
商品を購入する度に記憶媒体にポイントを加算できるようにした自動販売機において、前記記憶媒体にポイント加算日時から所定時間内は同一記憶媒体の使用を禁止する手段を備えたことを特徴とする自動販売機。
【請求項２】
請求項１記載の自動販売機において、記憶媒体に予め識別番号を記憶させ、この記憶媒体にポイントを加算する際に、自動販売機側に識別番号を、記憶媒体側にポイント加算日時を記憶させることを特徴とする自動販売機。
【請求項３】
請求項２記載の自動販売機において、ポイント加算日時を識別番号とともに自動販売機側に記憶させることを特徴とする自動販売機。
【請求項４】
請求項２または３に記載の自動販売機において、記憶媒体使用時、識別番号が自動販売機に記憶されていることを条件に、ポイント加算日時と現在時刻とを比較することにより、記憶媒体の使用許可の判断を行うことを特徴とする自動販売機。
【発明の詳細な説明】
【技術分野】
【０００１】
本発明は、商品を購入する度にカードなどにポイントを加算し、特典の提供を受けることができる自動販売機に関する。
【背景技術】
【０００２】
近年、自動販売機にカードリーダを備え、購入商品に応じたポイントを購入する度にカードに記憶させ、累積ポイントが一定ポイントに達したら、景品などの特典を供与する自動販売機が知られていおり、このポイントサービスの一例を以下に説明する。
まず、利用者は、自動販売機のカードリーダにポイントカードを挿入する。その後、プリペイドカードのように金額情報も書き込まれている場合にはその金額情報を読み込み、あるいは、現金の場合には硬貨を硬貨投入口に投入して、商品を選択することにより、商品が販売されるとともに、購入金額に応じたポイントが加算され、カードに新たな累積ポイントを書き込んで、カードを返却する（例えば、特許文献１参照）。
なお、カードのプリペイド方式の場合は、購入金額も減算され、新たな残額がカードに書き込まれ、返却する。
【０００３】
また、ポイントカードを持っていない利用者が商品を購入した場合には、新規にポイントカードを発行可能でなり、図示しない発行ボタンが押されると、ポイントカードが発行される。
【特許文献１】特開平９−２９７８８１号公報
【発明の開示】
【発明が解決しようとする課題】
【０００４】
ところで、上記のポイントサービスにおいて、景品などの特典の提供は、通常、中身商品の飲料メーカーが行っており、自動販売機所有者は、関与していないのが現状である。
そこで、自動販売機所有者が、悪意を持って、短時間の擬似的に商品購入を繰り返して、ポイント加算を行い、その後、商品を戻すようにして不正にポイント獲得して特典の提供を受けようとする場合がある。
本発明は、上記課題を鑑み、ポイントカードへのポイント数の加算に関する不正を防止することのできる自動販売機を提供することを目的とする。
【課題を解決するための手段】
【０００５】
上記目的を達成するために、本発明は、商品を購入する度に記憶媒体にポイントを加算できるようにした自動販売機において、前記記憶媒体にポイント加算日時から所定時間内は同一記憶媒体の使用を禁止する手段を備える。
また、記憶媒体に予め識別番号を記憶させ、この記憶媒体にポイントを加算する際に、自動販売機側に識別番号を、記憶媒体側にポイント加算日時を記憶させて、記憶媒体使用時、識別番号が自動販売機に記憶されていることを条件に、ポイント加算日時と現在時刻とを比較することにより、記憶媒体の使用許可の判断を行う。
なお、ポイント加算日時を識別番号とともに自動販売機に記憶させてもよい。
【発明の効果】
【０００６】
本発明は、商品を購入する度に記憶媒体にポイントを加算できるようにした自動販売機において、前記記憶媒体にポイント加算日時から所定時間内は同一記憶媒体の使用を禁止する手段を備えことにより、ポイント数を短時間に不正に加算することを防止できるという効果が得られる。
【発明を実施するための最良の形態】
【０００７】
以下に、本発明の一実施の形態を示す図１ないし３を用いて説明する。
まず、図３は、本発明の実施の対象となる自動販売機の概略正面図の一例を示すものであり、自動販売機３１の前面には、商品見本展示室３２、販売可能ランプおよび売切ランプを内蔵する商品選択押ボタン３３、ポイント数表示器３４ａを有するポイントカード受入口３４、硬貨投入口３５、返却レバー３６、金額表示器３７、硬貨返却口３８、商品取出口３９、新規のポイントカード発行口４０が設けられている。また、商品見本展示室３２は、内部に配列した商品見本３２ａを外部に視認させるものであり、商品見本展示室３２を通じて視認される商品見本３２ａは、それぞれコラムに収納した商品を現し、商品選択ボタン３３と対応して設けられている。
このような自動販売機では、内部には複数（ｎ個）のコラムを備えている。このコラムは、例えばサーペンタイン式のラックから成るもので、複数種類の商品を個別に収納する一方、商品選択ボタンが押され、販売指令が与えられた場合に押された商品選択ボタン対応する商品の払い出しを行うものである。
【０００８】
次に、図１は、本発明の一実施の形態を示す構成ブロック図である。
１は自動販売機全体を制御するマスタ制御部であり、１１はポイントカードリーダライタ１２を制御するカード制御部である。
マスタ制御部１は、制御プログラムを格納するメモリ１ａ、設定データなど種々のデータを記憶するメモリ１ｂなどを備えており、このマスタ制御部１には、各種設定を行うリモコンなどからなる設定装置２、商品搬出を行う商品搬出装置３、貨幣処理装置４が接続され、図３に示した金額表示器３７、商品選択ボタン３３も接続されている。
カード制御部１１は、制御プログラムを格納するメモリ１１ａ、カードのシリアル番号および購入日時、時間間隔の所定時間など種々のデータを記憶するメモリ１１ｂ、時計ＩＣ１１ｃなどを備えており，このカード制御部１１には、ポイントデータなどを表示するポイント数表示器３４ａ、ポイントカードへの読み書きを行うカードリーダライタ１３、カードの搬送装置１５などが接続されている。１３ａはポイントカードで、ポイント数および前回購入日時を記憶している。
【０００９】
なお、メモリ１１ｂに記憶するポイントカード１３ａのシリアル番号記憶枚数の設定、使用不可間隔の所定時間設定などは、マスタ制御部１の設定装置２を使用していて設定しており、シリアル番号記憶枚数の設定に関しては、設定された記憶枚数分に達すると、順次新しいデータに記憶内容を更新し、所定時間設定に関しては、例えば、５分，１０分など設置場所あるいは利用時間帯などによって適宜設定される。
ここで、自動販売機におけるポイントカードの使用方法について簡単に説明する。
まず、自動販売機３１のポイントカード受入口３４にポイントカード１３ａを挿入したとすると、カードリーダライタ１３にて現在迄の獲得ポイント数が読み出され、この獲得ポイント数がポイント数表示器３４ａに表示される。
この後、硬貨投入口３５に硬貨を投入し、所望の商品選択ボタン３３を押すと、押された商品選択ボタン３３に対応した商品が商品搬出装置３により商品取出口３９に搬出される。
【００１０】
この商品搬出に伴い、マスタ制御部１からカード制御部１１に対し、商品購入信号が出力され、購入した商品に応じたポイント数が加算され、新たなポイント数の更新を行い、カードリーダライタ１３にてポイントカード１３ａに書き込み、搬送装置１４にて、ポイントカード受入口３４からポイントカード１３ａを返却する。
なお、ポイントカードを持っていない利用者が商品を購入した場合には、新規にポイントカードを発行可能でなり、図示しない発行ボタンが押されると、ポイントカードが、ポイントカード発行口４０から発行される。
このような構成において、本発明における実施の形態について図２のフローチャートを用いて説明する。
まず、ポイントカードの受入処理について順をおって説明すると、ポイントカード１３ａがポイントカード受入口３４に挿入されると（ステップＳ１，Ｙｅｓ）、カードリーダライタ１３にてポイントカード１３ａのカードデータを読込み（ステップＳ２）、正常なポイントカード１３ａか否かを判断し（ステップＳ３）、すなわち、正常なカードでなければ（ステップＳ３，Ｎｏ）、ポイントカード１３ａを返却し（ステップＳ１４）、正常なポイントカード１３ａであれば（ステップＳ３，Ｙｅｓ）、カードリーダライタ１３にてポイントカード１３ａのシリアル番号がメモリ１１ｂに既に記憶されているかを判断し（ステップＳ４）、シリアル番号が記憶されていれば（ステップＳ４，Ｙｅｓ）、次に、カードに記憶されている前回ポイント数加算日時と現在日時とを比較し、その時間間隔が予め定められた所定時間内か否かを判断する（ステップＳ５）。ここで、所定時間内であれば（ステップＳ５，Ｙｅｓ）、不正とみなしてポイントカード１３ａを返却し（ステップＳ１４）、所定時間より時間間隔が長ければ（ステップＳ５，Ｎｏ）、ポイントカード１３ａの正規受入となり（ステップＳ６）現在までの獲得ポイント数がポイント数表示器３４ａに表示される（ステップＳ７）。
【００１１】
一方、ステップＳ４にて、挿入されたポイントカードのシリアル番号が記憶されていなければ（ステップＳ４，Ｎｏ）、ポイント数加算日時を判断することなく、ポイントカード１３ａの正規受入となり（ステップＳ６）現在までの獲得ポイント数がポイント数表示器３４ａに表示される（ステップＳ７）。
ここまでは、ポイントカード受入に関する制御であり、ポイントカード１３ａのシリアル番号とポイント数加算日時とにより、カード受入の判断を行うことで、不正使用を防止するものである。
次に、商品購入からポイントカード返却までの処理について説明すると、ポイントカード１３ａを受け入れ、硬貨投入口３５に硬貨が投入されると（ステップＳ８）、投入金額と販売価格とを演算して販売可能な販売可能ランプが点灯し、所望の商品選択ボタン３３が押されると（ステップＳ９）、選択された商品を商品搬出装置１４にて商品取出口３９へ搬出する（ステップＳ１０）。
【００１２】
このように、商品の搬出が行なわれると、この商品搬出に伴い、マスタ制御部１からカード制御部１１に対し、商品購入信号が出力され、ポイント数の更新処理を行い（ステップＳ１１）、シリアル番号をメモリ１１ｂのシリアル番号記憶エリアに記憶し（ステップＳ１２）、カードリーダライタ１３にてポイントカード１３ａに新たなポイント数と現在日時（ポイント数加算日時）とを書き込み（ステップＳ１３）、搬送装置１４にて、ポイントカード受入口４４からポイントカード１３ａを返却する（ステップＳ１４）。
このように、挿入されたポイントカード１３ａのシリアル番号をメモリ１１ｂに記憶させ、商品購入によるポイント数加算日時をポイントカード１３に記憶させることで、次回使用時に、このシリアル番号と加算日時とにより、不正使用を判断可能となる。
なお、本実施の形態においては、前回使用から今回使用までの時間間隔により不正を判断したが、自動販売機にはマルチベンド機能などもあり、時間間隔と所定時間内のポイント加算数とのＡＮＤ条件により判断してもよい。
【００１３】
また、ポイントカード１３ａについては、ポイント専用のカードではなく、電子マネー機能が付加されていてもよい。
さらに、加算日時に関し、ポイントカード側に記憶させているが、シリアル番号とともに、カード制御部１側にて記憶させてもよく、また、設定装置に関してはカード制御部１側に設けてもよく、マスタ制御部１とカード制御部１１とに関しては別々に設けたが、カード制御部１１をなくして、マスタ制御部１にてポイントカードに対する制御を行ってもよい。
【図面の簡単な説明】
【００１４】
【図１】本発明の一実施の形態である自動販売機の制御装置を示す構成ブロック図
【図２】図１の処理動作を示すフローチャート
【図３】本発明の対象となる自動販売機の概略正面図
【符号の説明】
【００１５】
１              マスタ制御部
１１            カード制御部
１１ａ、１１ｂ  メモリ
１１ｃ          時計
１３            ポイントカードリーダ
１３ａ          ポイントカード
１４            搬送装置
３１            自動販売機
３４            ポイントカード受入口
３４ａ          ポイント数表示器
【図１】
2006184988.tif 000003
【図２】
2006184988.tif 000004
【図３】
2006184988.tif 000005